(57)【要約】【課題】従来のカゴ呼優先運転方式のエレベータでは、カゴ呼に応答後は、通常、最も上にある乗場呼に応答するため、乗場呼の登録が多い場合には、上層階に比べ下層階の利用者の待ち時間が長くなり、サービスが不平等になるという問題点があった。【解決手段】運転装置１５０に、乗場呼登録手段１１０で登録された乗場呼を時刻の古い順に記憶する乗場呼記憶手段１５１を設けたため、エレベータのカゴが乗場呼を登録した順番に応答するので利用者に平等にサービスを供給できる。【選択図】　　　　　図１
2004099241.tif 000002
【特許請求の範囲】
【請求項１】
カゴ呼が登録されると途中の乗場呼を通過して前記カゴ呼で指定された階に直行するエレベータにおいて、利用者がエレベータのカゴから行先を登録するカゴ呼登録手段と、利用者が前記エレベータの乗場から前記カゴの呼を登録する乗場呼登録手段と、前記乗場呼登録手段から登録された乗場呼を記憶する乗場呼記憶手段と、前記カゴ呼登録手段に登録されているすべてのカゴ呼に対応した後に、前記乗場呼記憶手段に記憶されている一番古い乗場呼に対応するように前記カゴの運行を制御する運転制御手段と、を有することを特徴とするエレベータ運転装置。
【請求項２】
運転制御手段の出力を受け、エレベータがカゴ呼優先で運行しているとき、その旨を、乗場の利用者に通知する乗場表示装置を有することを特徴とする請求項１に記載のエレベータ運転装置。
【請求項３】
運転制御手段の出力を受け、乗場表示装置が、乗場の利用者の待ち順位を表示することを特徴とする請求項２に記載のエレベータ運転装置。
【発明の詳細な説明】
【０００１】
【発明の属する技術分野】
本発明は、カゴ呼優先で運転を行うエレベーター運転装置に関する。
【０００２】
【従来の技術】
従来、特殊ホテル、ペット同居可能マンションなど、利用者がカゴ内で他の乗客との乗合せを回避するエレベータでは、カゴ呼が登録されている間はカゴに乗客が搭乗していると見なし、乗場呼には応答しないというカゴ呼優先運転方式がとられている（例えば、特許文献１参照）。
【０００３】
【特許文献１】
特開平１−２２６６７４号公報
【０００４】
【発明が解決しようとする課題】
従来のカゴ呼優先運転方式のエレベータでは、カゴ呼に応答後は、通常、最も上にある乗場呼に応答する。そのため、乗場呼の登録が多く乗客が連続する場合には、上層階に比べ下層階の利用者の待ち時間が長くなり、サービスが不平等になるという問題点があった。
【０００５】
本発明は、かかる問題点を解消するためになされたもので、利用者に平等にカゴ呼優先運転を行うエレベータ運転装置を提供することを目的とする。
【０００６】
【課題を解決するための手段】
この発明にかかるエレベータ運転装置は、カゴ呼が登録されると途中の乗場呼を通過してカゴ呼で指定された階に直行するエレベータにおいて、利用者がエレベータのカゴから行先を登録するカゴ呼登録手段と、利用者がエレベータの乗場からカゴの呼を登録する乗場呼登録手段と、乗場呼登録手段から登録された乗場呼を記憶する乗場呼記憶手段と、カゴ呼登録手段に登録されているすべてのカゴ呼に対応した後に、乗場呼記憶手段に記憶されている一番古い乗場呼に対応するようにカゴの運行を制御する運転制御手段と、を有するものである。
【０００７】
また、この発明にかかるエレベータ運転装置は、運転制御手段の出力を受け、エレベータがカゴ呼優先で運行しているとき、その旨を、乗場の利用者に通知する乗場表示装置を有するものである。
【０００８】
また、この発明にかかるエレベータ運転装置は、運転制御手段の出力を受け、乗場表示装置が、乗場の利用者の待ち順位を表示するものである。
【０００９】
【発明の実施の形態】
実施の形態１．
図１は、本発明によるエレベータ運転装置の実施の形態１の全体構成図である。
【００１０】
図１において、１００は利用者が乗場からエレベータのカゴを呼ぶために乗場に設置された乗場呼登録手段、１１０は利用者がカゴ内で行先を入力するためにカゴに設置されたカゴ呼登録手段、１５０は乗場呼登録手段１００とカゴ呼登録手段１１０との出力を受けてカゴの運行方向と停止階を決定する運転装置、１６０は運転装置１５０の出力を受けてカゴを昇降する駆動装置、１７０はそれぞれの乗場に設置され、エレベータのカゴの運転モードおよび待ち順位を表示するの運転乗場表示装置である。また運転装置１５０は、乗場呼登録手段１１０で登録された乗場呼が発生した場所、時刻、方向を時刻の古い順に優先順位をつけて記憶する乗場呼記憶手段１５１と、カゴ呼優先運転と乗合運転とを切替える運転モード切替手段１５２と、カゴの運行を制御する運転制御手段１５３とから構成されている。
【００１１】
図２は図１のエレベータ運転装置を地上５階の建物に設置した例である。図２において、２００はエレベータのカゴ、１１０は１〜５階を指定する釦から構成されているカゴ呼登録手段、１００ａ〜１００ｅはそれぞれ１〜５階のエレベータ乗場の乗場呼登録手段で最下階の１００ａと最上階の１００ｅは１つ釦で、中層階の１００ｂ〜１００ｄは昇降にそれぞれ対応した２つ釦で構成されている。
【００１２】
図１および図２の構成のエレベータ運転装置を通常の乗合運転方式で運用することも可能であるが、以下では運転モード切替手段１５２でカゴ呼優先運転を指定した場合の上記実施の形態１の運転制御装置１５５の動作を図３のフローチャートを参照して説明する。まずステップＳ３０１で運転モード切替手段１５２を参照し、カゴ呼優先運転に指定されていない場合はステップＳ３０７で運転乗場表示装置１７０を消灯してからステップＳ３１０で通常の乗合運転を行うが、ここでは上記のようにカゴ呼優先運転が指定されたと想定しているのでステップＳ３１０の具体的動作については説明を省略する。一方ステップＳ３０１で、カゴ呼優先運転に指定されていた場合はステップＳ３０２で、例えば「ボタンの登録順でサービス中」といった内容を各階の運転乗場表示装置１７０に表示する。また、乗場呼記憶手段１５１を参照して、乗場呼が発生している乗場では優先順位を運転乗場表示装置１７０に表示する。このとき１００ｂ〜１００ｄには昇降別に呼釦が２つあり呼も別々に発生するので、優先順位の表示も昇降別に行うことができる。次にステップＳ３０３ではカゴ呼登録手段１１０を参照して、登録がある場合はステップＳ３０４で登録されたカゴ呼に応答してカゴ２００を昇降する信号を駆動装置１６０に発信し、カゴ呼に応答した後にステップＳ３０３に戻る。ステップＳ３０３でカゴ呼登録手段１１０に登録がない場合はステップＳ３０５へ進む。次にステップＳ３０５では乗場呼記憶手段１５１を参照して、登録がある場合はステップＳ３０６で優先順位の一番高い呼に応答してカゴ２００を昇降する信号を駆動装置１６０に発信し、乗場呼に応答した後にステップＳ３０２に戻り、運転乗場表示装置１７０の表示内容を更新する。一方ステップＳ３０５で乗場呼記憶手段１５１に登録がない場合はステップＳ３０１へ戻る。
【００１３】
次に図２に具体的な事例を適用した場合の図３のフローチャートの遷移を説明する。
【００１４】
いま、乗場呼登録手段１００ｂの下り釦が４０秒前に、乗場呼登録手段１００ｃの下り釦が１０秒前に登録された状態で、１階からカゴ呼登録手段１１０で４階が登録されたカゴ２００が出発したとする。
【００１５】
カゴ呼優先運転を前提としているので、ステップＳ３０１、ステップＳ３０２に進み、１〜５階の乗場の運転乗場表示装置１７０に「ボタンの登録順でサービス中」といった内容を表示する。また２階と３階の乗場呼では２階の登録のほうが古く優先順位が高いので、２階乗場の運転乗場表示装置１７０には優先順位１が、３階乗場の運転乗場表示装置１７０には優先順位２が、表示される。
【００１６】
次にステップＳ３０３に進み、カゴ呼があるので、ステップＳ３０４に進み、４階のかご呼びに応答し、ステップＳ３０３に戻る。今度はカゴ呼がないので、ステップＳ３０５に進み、乗場呼があるので、ステップＳ３０６に進み、優先順位の高い２階のカゴ呼びに応答し、ステップＳ３０２に戻る。
【００１７】
このときカゴ２００は４階から２階に移動するが、３階の乗場の待ち客から見れば乗場呼を登録しているのにカゴ２００が通過することになるが、カゴ呼優先運転のエレベーターを利用する乗客の多くは、待ち時間が長くなっても他の乗客と同乗したくないと考えている人が多く、３階乗場の運転乗場表示装置１７０が、カゴ呼優先運転中であること、優先順位２であることを表示しているため、待ち客は不信、不平を抱かない。
【００１８】
２階のカゴ呼びに応答後にステップＳ３０２で、３階の運転乗場表示装置１７０は優先順位１に表示が更新され、２階の運転乗場表示装置１７０の優先順位の表示は消灯する。このように、優先順位の表示が更新するために、待ち客は自分の順番が確実に近づいているのを確認でき、安心できる。
【００１９】
そしてステップＳ３０３で２階から乗った利用者のカゴ呼があることを確認する。ここでは１階にカゴ呼を登録したとして、ステップＳ３０４で１階へのかご呼びに応答し、ステップＳ３０３に戻る。今度はカゴ呼がないので、ステップＳ３０５に進み、乗場呼があるので、ステップＳ３０６に進み、優先順位の高い３階のカゴ呼びに応答し、ステップＳ３０２に戻り、３階の運転乗場表示装置１７０の優先順位の表示を消灯する。
【００２０】
そしてステップＳ３０３で３階から乗った利用者のカゴ呼があることを確認する。ここでは２階にカゴ呼を登録したとして、ステップＳ３０４で２階へのかご呼びに応答し、ステップＳ３０３に戻る。今度はカゴ呼がないので、ステップＳ３０５に進み、乗場呼もないのでステップＳ３０１へ戻る。
【００２１】
この後は、運転モードが切替わる、または呼が登録されるまで、ステップＳ３０１→ステップＳ３０２→ステップＳ３０３→ステップＳ３０５→ステップＳ３０１→…のループとなる。
【００２２】
以上説明したように、実施の形態１によれば、乗場呼を登録した順番に応答するので利用者に平等にサービスを供給できる。
【００２３】
【発明の効果】
以上のように、この発明にかかるエレベータ運転装置は、カゴ呼が登録されると途中の乗場呼を通過してカゴ呼で指定された階に直行するエレベータにおいて、利用者がエレベータのカゴから行先を登録するカゴ呼登録手段と、利用者がエレベータの乗場からカゴの呼を登録する乗場呼登録手段と、乗場呼登録手段から登録された乗場呼を記憶する乗場呼記憶手段と、カゴ呼登録手段に登録されているすべてのカゴ呼に対応した後に、乗場呼記憶手段に記憶されている一番古い乗場呼に対応するようにカゴの運行を制御する運転制御手段と、を有するため、乗場呼を登録した順番に応答できるので利用者に平等にサービスを供給できる。
【００２４】
また、この発明にかかるエレベータ運転装置は、運転制御手段の出力を受け、エレベータがカゴ呼優先で運行しているとき、その旨を、乗場の利用者に通知する乗場表示装置を有するため、利用者にカゴ呼優先運転中であることを知らせているので利用者がサービス内容に知った上で利用できる。
【００２５】
また、この発明にかかるエレベータ運転装置は、運転制御手段の出力を受け、乗場表示装置が、乗場の利用者の待ち順位を表示するため、利用者は自分の順番を確認でき、安心できる。
【図面の簡単な説明】
【図１】本発明によるエレベータ運転装置の全体構成図である。
【図２】本発明によるエレベータ運転装置を地上５階の建物に設置した例である。
【図３】本発明によるエレベータ運転装置のフローチャートである。
【符号の説明】
１００　乗場呼登録手段、１１０　カゴ呼登録手段、１５０　運転装置、１５１乗場呼記憶手段、１５２　運転モード切替手段、１５５　運転制御装置、１６０　駆動装置、１７０　乗場表示装置
【図１】
2004099241.tif 000003
【図２】
2004099241.tif 000004
【図３】
2004099241.tif 000005